(57)【要約】  加熱装置中または加熱装置上での使用に適したパッケージングであって、使用の際、加熱する物をその中に密閉するバッグを含んでおり、バッグには開口部が形成されており、開口部上は、バッグ中にウィンドウを形成するフィルム材で密閉されており、フィルムとバッグ材との間のシールは、温度および（または）圧力にセンシティブであり、バッグ内の前記温度および（または）圧力があらかじめ決定されたレベルに達した際、バッグ内の空気を放出させるべく、ウィンドウは、バッグから少なくとも部分的に自動的に分離する、パッケージングを提供する。【特許請求の範囲】
【請求項１】
加熱装置中または加熱装置上での使用に適したパッケージングであって、使用の際、加熱する物をその中に密閉するバッグを含んでおり、
前記バッグには開口部が形成されており、前記開口部上は、前記バッグ中にウィンドウを形成するフィルム材で密閉されており、
前記フィルムと前記バッグ材との間の前記シールは、温度および（または）圧力にセンシティブであり、前記バッグ内の前記温度および（または）圧力があらかじめ決定されたレベルに達した際、前記バッグ内の空気を放出させるべく、前記ウィンドウは、前記バッグから少なくとも部分的に自動的に分離する、
パッケージング。
【請求項２】
前記バッグは、使用時に一旦ウィンドウが分離した際、前記バッグ自体の重さを支持し、かつ膨張した形状を維持するのに十分堅い材料から形成される、請求項１記載のパッケージング。
【請求項３】
前記バッグは、アルミホイル材料から形成される、請求項１記載のパッケージング。
【請求項４】
前記アルミホイル材料は、実質的に２５から５００ミクロンの間のゲージである、請求項３記載のパッケージング。
【請求項５】
前記開口部は、前記バッグの側面パネル中に形成される、請求項１ないし４のいずれかの項記載のパッケージング。
【請求項６】
前記フィルムは、ポリエステルまたはポリエステル・ポリエチレンである、請求項１ないし５のいずれかの項記載のパッケージング。
【請求項７】
前記フィルムは、前記開口部よりも大きいが、略その上に走る縁（border）を有する、請求項１ないし６のいずれかの項記載のパッケージング。
【請求項８】
前記フィルムは、その中に前記開口部が形成される前記バッグの前記側面パネル全体を横切って伸びる、請求項７記載のパッケージング。
【請求項９】
前記フィルムは、透明である、請求項１ないし８のいずれかの項記載のパッケージング。
【請求項１０】
前記フィルムは、使用時に食品の呼吸速度と一致する、ガス伝送速度を有している、請求項１ないし９のいずれかの項記載のパッケージング。
【請求項１１】
前記バッグは、ユーザが用意した加熱するための物品を前記バッグに入れることができる、ユーザが密閉することができる開口部を有している、請求項１ないし１０のいずれかの項記載のパッケージング。
【請求項１２】
前記開口部は、前記ウィンドウと前記バッグとの間のシールよりも圧力に対してより大きい抵抗を有する強さの粘着性のストリップを備える、請求項１１記載のパッケージング。
【請求項１３】
前記粘着性のストリップは、縁に提供され、使用時に、前記バッグに付着させる前に何度もフォールドされる、請求項１２記載のパッケージング。
【請求項１４】
前記バッグは、加熱すべき販売前に包装された食品をその中に有している、請求項１ないし１０のいずれかの項記載のパッケージング。
【請求項１５】
前記パッケージングは、加熱装置中または加熱装置上で使用するものであり、使用する際、前記加熱するための物品は、食品である、請求項１ないし１４のいずれかの項記載のパッケージング。
【発明の詳細な説明】
【技術分野】
【０００１】
本発明は、食品を調理することができる密封バッグに関する。
【背景技術】
【０００２】
近年においては、オーブンのような加熱調理装置に直接入れることができるパッケージングされた、販売前に包装された食品の提供に向けた動きがある。このときパッケージング内に含まれる食品は、パッケージング内に入ったまま調理される。
【０００３】
このことは、パッケージング内に入れることができるという利点を有し、また、例えばパッケージング内の圧力を制御することによって、調理環境をある程度適切に制御した場合、調理作業が改善される。
【０００４】
異なる種類の食品を互いに接触させることなく、同一のオーブンで調理することができる。しかしながら、特に匂いのある食品の場合、食品の味に対する悪影響を及ぼすこととなる場合がある。
【０００５】
さらに、ジュースやこれに類するもののような調理の副産物（cooking by-productions）はパッケージング内に保存され、オーブンからパッケージングを出した後、容易に取り出すことができ、これにより、より清潔に調理することができる。
【発明の開示】
【発明が解決しようとする課題】
【０００６】
しかしながら、これらのシステムは、一旦調理が終了した場合、パッケージングを加熱調理装置から取り出さねばならず、それから食べるためにその中身を取り出すことができるようにパッケージングを開けなければならないという欠点を有する。
【０００７】
このように装置からパッケージングを移動する際、通常パッケージングは非常に熱い。このため、この動作中にユーザが火傷する危険性がある。
【課題を解決するための手段】
【０００８】
本発明は、加熱装置内または加熱装置上での使用に適したパッケージングを提供する。このパッケージングは、使用する際、加熱する物を密閉するバッグを含んでいる。このバッグには開口部が形成されており、この開口部は、バッグ中のウィンドウを形成するフィルム材で密閉される。
【０００９】
このフィルムとバッグ材との間のシールは、温度および（または）圧力にセンシティブに反応し、バッグ内の大気を放出するように定められたレベルに達するバッグ内の温度および（または）圧力となった場合、ウィンドウは、バッグから自動的に、少なくとも部分的に分離する。
【発明の効果】
【００１０】
本発明によるパッケージングは、小さな容量のバッグ内に食品をパックすることができるという利点を有する。また、加熱した場合、圧力の増加により、ウィンドウが内部の大気を放出する前に、パッケージングがピローを形成するように拡大するという利点を有する。
【００１１】
一旦調理された場合、ユーザがパッケージングそのものに触れることなく、適切なトングまたはこれに類するものを使用して、パッケージングから食品を取り出すのに、バッグ内の開口部を使用することができる。このフィルムはその後、ユーザが開口部全体を開けることによって、簡単に取り外すことができる。
【００１２】
このようにして、調理の副産物を含んでいるような利点を維持する一方、先行行技術システムの問題を解決することができる。
【発明を実施するための最良の形態】
【００１３】
バッグは、一旦内圧がウィンドウが分離することにより開放された場合、バッグのピロー形状を維持するのに十分堅い材料から形成されることが好ましい。
【００１４】
このようなバッグは、ウィンドウから食品を出すためのコンテナとして使用することができ、有利である。
【００１５】
このフィルム・ウィンドウは、バッグの破断強度よりも低い破断強度を有しているシールを備えたフォイル（foil）に密閉され、使用時に、このバッグは、バッグを破裂させることなく生成された水蒸気を排出できる。すなわち、使用者がバッグに穴をあける必要がなくなり、有利である。
【００１６】
シールの強さはさらに、使用時に、ウィンドウはいつでもユーザが取り外すことができることが好ましい。
【００１７】
この方法で、フィルムはドライヤーで調理中のより早い時期に除去することができる一方、もっと熱せられた結果、フィルムは、もっと蒸気が当てられ結果的に水分が多くなる場合、そのまま残しておくことができる。
【００１８】
このバッグは、特に、実質的に２５〜５００ミクロン（しかし２５〜１００ミクロンであることが好ましい。）の間のゲージのアルミホイル材料により形成されることが好ましい。このようなバッグは、グリルおよびオーブン調理の高温に耐えるのに適する高温抵抗を有し、有利である。
【００１９】
開口部は、バッグの一面中に形成されることが好ましく、使用時に、加熱調理装置の中で上方へ面するように位置させることができる。
【００２０】
このフィルムは、ポリエステルまたはポリエステル・ポリエチレン材料から形成され、バッグ中の開口部よりわずかに大きいパネルとして形成されてもよい。
【００２１】
または代わりに、フィルムおよびバッグの間のシールを提供するバッグとのオーバーラップは、開口部が形成されるバッグの側面全体を横切って伸びるようにしてもよい。
【００２２】
ある実施形態の一例においては、フィルムは、パッケージングがまだ密閉されている間、食品が見えるように透明にすることができる。
【００２３】
このフィルムはさらに、特に使用において、バッグがチラーからホットグリルに取り出される場合、いつでも食品を見ることができることを保証すべく曇らないようにコートされている。
【００２４】
いくつかの食品は、適切なフィルムを使用することによって解決できる、呼吸できる特性を必要とし得る。
【００２５】
その後、製品の貯蔵寿命を最大限にするように、その中に格納される食品の呼吸速度と一致させるべく、好ましくはフィルム中のミクロの穿孔によってガス伝送速度を調節することができる。
【００２６】
パッケージングは、販売前に包装された食品をその中に有していてもよいが、ある実施形態の一例においては、ユーザによって用意された製品をバッグの中に入れ、その後製品を料理するためにバッグを上述した方法で密閉することにより、ユーザが密閉することができる開口部を有している。
【００２７】
この開口部は、例えば、ウィンドウとバッグとの間のシールよりも圧力に対してより大きい抵抗を有する強さの粘着性のストリップを備えてもよい。
【００２８】
粘着剤は特に、高い密閉性を保証すべく、バッグに付着させる前に何度もフォールドされ、縁に提供されてもよい。
【００２９】
使用時において非常に温度が高くなる場合、接着剤がバッグ内食品品に移動することができないように、密閉することができる開口部は、バッグの外側にのみ接着性があるように生成される。
【００３０】
しかしながら開口部は、接着剤なしで、機械的にまたは手動で密閉することができることが好ましい。
【００３１】
特に、開口部の縁は、良い密閉性を保証すべく、共に破れる前に何度も望ましいようにフォールドされる。
【００３２】
しかしながら代替的に、バッグが溶着可能な（weldable）材料で形成される場合、一旦バッグに食品が入れられた場合、開口部は永久的な溶着シールで密閉することができる。特に、溶着シールを生成するのに超音波溶着が使用されることが好ましい。
【００３３】
パッケージングは広範囲の調理機器に使用することができるが、バーベキュー（焼き肉器）またはこれに類するものの使用に特に有利である。あらかじめ準備した、例えば生や部分的にまたは全体的に調理された状態食品を入れたバッグは、バッグから、調理の副産物またはこれに類するものの漏れを防ぐように、ウィンドウが上方に面する状態でバーベキュー上に直接置かれる。
【００３４】
バッグがピロー型に拡大した際、バッグの材料は、一旦バッグを解放するように、すなわち内圧を取り除くようにフィルムを解放した場合、その拡大した場所を支えるのに十分に堅いことが好ましい。
【手続補正書】
【提出日】平成19年2月12日(2007.2.12)
【手続補正１】
【補正対象書類名】特許請求の範囲
【補正対象項目名】全文
【補正方法】変更
【補正の内容】
【特許請求の範囲】
【請求項１】
バーベキューの直上での使用に適したパッケージングであって、使用の際、加熱する物をその中に密閉するバッグを含んでおり、
前記バッグには開口部が形成されており、前記開口部上は、前記バッグ中の一面に、使用時に、上方に面するようになっているウィンドウを形成するフィルム材で密閉されており、
前記フィルムと前記バッグの材料との間の前記シールは、温度および（または）圧力に過敏であり、前記バッグ内の前記温度および（または）圧力があらかじめ決定されたレベルに達した際、前記バッグ内の空気を放出させるべく、前記ウィンドウは、前記バッグから少なくとも部分的に自動的に分離し、
前記フィルムは、前記開口部を露出すべく取り外すことができ、使用する際、ユーザが前記パッケージングそのものに手を触れる必要なく、前記開口部を介して前記パッケージングから前記物を取り出すことができる、
パッケージング。
【請求項２】
前記バッグは、使用時に一旦ウィンドウが分離した際、前記バッグ自体の重さを支持し、かつ膨張した形状を維持するのに十分堅い材料から形成される、請求項１記載のパッケージング。
【請求項３】
前記バッグは、アルミホイル材料から形成される、請求項１記載のパッケージング。
【請求項４】
前記アルミホイル材料は、実質的に２５から５００ミクロンの間のゲージである、請求項３記載のパッケージング。
【請求項５】
前記開口部は、前記バッグの側面パネル中に形成される、請求項１ないし４のいずれかの項記載のパッケージング。
【請求項６】
前記フィルムは、ポリエステルまたはポリエステル・ポリエチレンである、請求項１ないし５のいずれかの項記載のパッケージング。
【請求項７】
前記フィルムは、前記開口部よりも大きいが、略その上に走る縁（border）を有する、請求項１ないし６のいずれかの項記載のパッケージング。
【請求項８】
前記フィルムは、その中に前記開口部が形成される前記バッグの前記側面パネル全体を横切って伸びる、請求項７記載のパッケージング。
【請求項９】
前記フィルムは、透明である、請求項１ないし８のいずれかの項記載のパッケージング。
【請求項１０】
前記フィルムは、使用時に食料品の呼吸速度と一致する、ガス伝送速度を有している、請求項１ないし９のいずれかの項記載のパッケージング。
【請求項１１】
前記バッグは、ユーザが用意した加熱するための物品を前記バッグに入れることができる、ユーザが密閉することができる開口部を有している、請求項１ないし１０のいずれかの項記載のパッケージング。
【請求項１２】
前記開口部は、前記ウィンドウと前記バッグとの間のシールよりも圧力に対してより大きい抵抗を有する強さの粘着性のストリップを備える、請求項１１記載のパッケージング。
【請求項１３】
前記粘着性のストリップは、縁に提供され、使用時に、前記バッグに付着させる前に何度もフォールドされる、請求項１２記載のパッケージング。
【請求項１４】
前記バッグは、加熱すべき販売前に包装された食品をその中に有している、請求項１ないし１０のいずれかの項記載のパッケージング。
【請求項１５】
前記パッケージングは、加熱装置中または加熱装置上で使用するものであり、使用する際、前記加熱するための物品は、食料品である、請求項１ないし１４のいずれかの項記載のパッケージング。
【国際調査報告】
2008525276.tif 000002
2008525276.tif 000003
2008525276.tif 000004